(57)【特許請求の範囲】
【請求項１】
硬貨の面同士を接触させて積み重ねられた複数の硬貨を１列で収容可能な保留筒と；
硬貨が載置される硬貨載置面で、前記保留筒内に収容されている硬貨の重量を受けるシャッタと；
前記シャッタを移動させるシャッタ移動機構であって、前記硬貨載置面が前記硬貨載置面から前記保留筒の反対側に延びる直線を半径とする円弧上を往復移動するように前記シャッタを移動させると共に、前記シャッタが前記保留筒に対して第１の方向に移動したときに前記保留筒内の硬貨を第１の空間に導き、前記シャッタが前記保留筒に対して前記第１の方向とは反対側の第２の方向に移動したときに前記保留筒内の硬貨を第２の空間に導くように前記シャッタを移動させるシャッタ移動機構と；
前記保留筒を支持する支持部材であって、前記保留筒よりも下方の点を中心として前記保留筒を回動可能に支持する支持部材とを備え；
前記保留筒を回動させたときに前記保留筒内に収容されていた硬貨を前記第１の空間に導くように構成された；
硬貨処理装置。
【請求項２】
前記第１の方向及び前記第２の方向のいずれにも移動していないときの前記シャッタの位置の上方に前記保留筒が位置するように、前記保留筒を付勢する付勢部材を備える；
請求項１に記載の硬貨処理装置。
【請求項３】
前記保留筒の下部に設けられ、前記円弧の外側で前記円弧に沿って前記第１の空間側に延びるガイドを備える；
請求項１又は請求項２に記載の硬貨処理装置。
【請求項４】
硬貨の面同士を接触させて積み重ねられた複数の硬貨を１列で収容可能な追加保留筒と；
硬貨が載置される追加硬貨載置面で、前記追加保留筒内に収容されている硬貨の重量を受ける追加シャッタと；
前記追加シャッタを移動させる追加シャッタ移動機構であって、前記追加硬貨載置面が前記追加硬貨載置面から前記追加保留筒の反対側に延びる直線を半径とする追加円弧上を往復移動するように前記追加シャッタを移動させると共に、前記追加シャッタが前記追加保留筒に対して第３の方向に移動したときに前記追加保留筒内の硬貨を第３の空間に導き、前記追加シャッタが前記追加保留筒に対して前記第３の方向とは反対側の第４の方向に移動したときに前記追加保留筒内の硬貨を前記第２の空間に導くように前記追加シャッタを移動させる追加シャッタ移動機構と；
前記追加保留筒を支持する追加支持部材であって、前記追加保留筒よりも下方の点を中心として前記追加保留筒を回動可能に支持する追加支持部材とを備え；
前記追加保留筒を回動させたときに前記追加保留筒内に収容されていた硬貨を前記第３の空間に導くように構成された；
請求項１乃至請求項３のいずれか１項に記載の硬貨処理装置。
【発明の詳細な説明】
【技術分野】
【０００１】
本発明は硬貨処理装置に関し、特にメンテナンスの際に硬貨が所在不明になることを防ぐ硬貨処理装置に関する。
【背景技術】
【０００２】
投入された硬貨を循環させて払い出す硬貨として用いる循環式の硬貨処理装置は、駅務機器（自動券売機、自動精算機等）として、あるいは銀行等で広く用いられている。このような硬貨処理装置には、投入された硬貨についての処理の継続中に、その投入された硬貨が払い出し用の硬貨として用いられるのに備えるため、投入された硬貨を当該処理が完了するまで一時的に保留する一時保留部が設けられているものがある。一時保留部が設けられた硬貨処理装置として、上下に開口部を有する円筒状の保留筒と、保留筒に保留された硬貨を保持する底蓋と、保留筒の下方に設けられた分岐を有するシュートとを含み、底蓋は保留筒の下部にヒンジを始点に回動可能に取り付けられ、一時保留部に保留された硬貨を循環釣銭部又は出金搬送部に選択的に落下させるように構成されたものがある（例えば、特許文献１参照。）。
【先行技術文献】
【特許文献】
【０００３】
【特許文献１】特開２００４−３２６５６６号公報（段落００４６−００４９等）
【発明の概要】
【発明が解決しようとする課題】
【０００４】
上述の硬貨処理装置は、一時保留部において、例えば特許文献１の図４（ｂ）〜（ｄ）に示すような硬貨の集積の不具合が発生した場合や定期的に、メンテナンスが行われることがある。一時保留部のメンテナンスを行うに際し、そのまま底蓋を開けると保留筒に残存していた硬貨が意図しない部位に落下してしまうことが起こりうる。他方、一時保留部が装置の外側に引き出せる構造になっている場合は、一時保留部を装置の外側に引き出した状態で底蓋を開けると、保留筒に残存していた硬貨が装置の外側に落下して、落下した硬貨を紛失してしまうことが起こりうる。
【０００５】
本発明は上述の課題に鑑み、メンテナンスの際に硬貨の所在が不明になってしまうことを防ぐ硬貨処理装置を提供することを目的とする。
【課題を解決するための手段】
【０００６】
上記目的を達成するために、本発明の第１の態様に係る硬貨処理装置は、例えば図１に示すように、硬貨Ｃの面同士を接触させて積み重ねられた複数の硬貨Ｃを１列で収容可能な保留筒１１と；硬貨Ｃが載置される硬貨載置面１５ｐで、保留筒１１内に収容されている硬貨Ｃの重量を受けるシャッタ１５と；シャッタ１５を移動させるシャッタ移動機構２０であって、硬貨載置面１５ｐが硬貨載置面１５ｐから保留筒１１の反対側に延びる直線１５ｒを半径とする円弧１５ａ（例えば図２（Ｂ）、（Ｃ）参照）上を往復移動するようにシャッタ１５を移動させると共に、シャッタ１５が保留筒１１に対して第１の方向Ｄ１に移動したときに保留筒１１内の硬貨Ｃを第１の空間Ｓ１に導き、シャッタ１５が保留筒１１に対して第１の方向Ｄ１とは反対側の第２の方向Ｄ２に移動したときに保留筒１１内の硬貨Ｃを第２の空間Ｓ２に導くようにシャッタ１５を移動させるシャッタ移動機構２０と；保留筒１１を支持する支持部材１３であって、保留筒１１よりも下方の点１３ｃを中心として保留筒１１を回動可能に支持する支持部材１３とを備え；保留筒１１を回動させたときに保留筒１１内に収容されていた硬貨Ｃを第１の空間Ｓ１に導くように構成されている。
【０００７】
このように構成すると、メンテナンスのために保留筒を回動させて引き出した際に保留筒内に残留している硬貨を確実に第１の空間に導くことができ、保留筒内に残留している硬貨が意図しない第２の空間に侵入したり装置の外に散乱することを防ぐことができる。
【０００８】
また、本発明の第２の態様に係る硬貨処理装置は、例えば図１に示すように、上記本発明の第１の態様に係る硬貨処理装置において、第１の方向Ｄ１及び第２の方向Ｄ２のいずれにも移動していないときのシャッタ１５の位置の上方に保留筒１１が位置するように、保留筒１１を付勢する付勢部材１４を備える。
【０００９】
このように構成すると、シャッタが第１の方向又は第２の方向に移動する際に保留筒がつられて移動してしまうことを抑制することができる。
【００１０】
また、本発明の第３の態様に係る硬貨処理装置は、例えば図１に示すように、上記本発明の第１の態様又は第２の態様に係る硬貨処理装置において、保留筒１１の下部に設けられ、円弧１５ａ（例えば図２（Ｂ）、（Ｃ）参照）の外側で円弧１５ａ（例えば図２（Ｂ）、（Ｃ）参照）に沿って第１の空間Ｓ１側に延びるガイド１２を備える。
【００１１】
このように構成すると、保留筒から第１の空間に導かれる硬貨をより確実に第１の空間に導くことができる。
【００１２】
また、本発明の第４の態様に係る硬貨処理装置は、例えば図１に示すように、上記本発明の第１の態様乃至第３の態様のいずれか１つの態様に係る硬貨処理装置において、硬貨Ｃの面同士を接触させて積み重ねられた複数の硬貨Ｃを１列で収容可能な追加保留筒３１と；硬貨Ｃが載置される追加硬貨載置面３５ｐで、追加保留筒３１内に収容されている硬貨Ｃの重量を受ける追加シャッタ３５と；追加シャッタ３５を移動させる追加シャッタ移動機構であって、追加硬貨載置面３５ｐが追加硬貨載置面３５ｐから追加保留筒３１の反対側に延びる直線を半径とする追加円弧上を往復移動するように追加シャッタ３５を移動させると共に、追加シャッタ３５が追加保留筒３１に対して第３の方向Ｄ３に移動したときに追加保留筒３１内の硬貨Ｃを第３の空間Ｓ３に導き、追加シャッタ３５が追加保留筒３１に対して第３の方向Ｄ３とは反対側の第４の方向Ｄ４に移動したときに追加保留筒３１内の硬貨Ｃを第２の空間Ｓ２に導くように追加シャッタ３５を移動させる追加シャッタ移動機構と；追加保留筒３１を支持する追加支持部材３３であって、追加保留筒３１よりも下方の点３３ｃを中心として追加保留筒３１を回動可能に支持する追加支持部材３３とを備え；追加保留筒３１を回動させたときに追加保留筒３１内に収容されていた硬貨Ｃを第３の空間Ｓ３に導くように構成されている。
【００１３】
このように構成すると、硬貨を２つの系統で処理することができると共に、第２の空間を共有しているので装置を小型化することができる。
【００１４】
また、本発明の第５の態様に係る硬貨処理装置として、例えば図２に示すように、上記本発明の第１の態様乃至第４の態様のいずれか１つの態様に係る硬貨処理装置において、シャッタ１５（例えば図１参照）が、シャッタ移動機構２０（例えば図１参照）に嵌合する第１の嵌合部材１５ｅ及び第２の嵌合部材１５ｆを有し、第１の嵌合部材１５ｅ及び第２の嵌合部材１５ｆは硬貨載置面１５ｐから保留筒１１の反対側に延びる直線１５ｒを挟んで設けられ；シャッタ移動機構２０（例えば図１参照）が、第１の嵌合部材１５ｅ及び第２の嵌合部材１５ｆと嵌合して第１の嵌合部材１５ｅ及び第２の嵌合部材１５ｆを摺動させる摺動レール２１ａが形成されたカム２１を有し；カム２１は、第１の嵌合部材１５ｅと第２の嵌合部材１５ｆとを結ぶ連結仮想線１５ｊに対して円弧１５ａの中心１５ｃとは反対側に設けられた回動中心２１ｃまわりに回動するように構成されると共に、シャッタ１５（例えば図１参照）が第１の方向Ｄ１及び第２の方向Ｄ２のいずれにも移動していないときに、摺動レール２１ａが、第１の嵌合部材１５ｅと回動中心２１ｃとを結ぶ第１の仮想線１５ｖｅ上で第１の嵌合部材１５ｅと接触し、かつ、第２の嵌合部材１５ｆと回動中心２１ｃとを結ぶ第２の仮想線１５ｖｆ上で第２の嵌合部材１５ｆと接触するように構成されていてもよい。
【００１５】
このように構成すると、第１の方向及び第２の方向のいずれにも移動していないシャッタを動かそうとしても第１の嵌合部材が第１の仮想線上で及び第２の嵌合部材が第２の仮想線上でそれぞれ摺動レールに接触して動かなくなり、メンテナンスのために保留筒を回動させたいときにシャッタがつられて移動してしまうことを防ぐことができる。
【００１６】
また、本発明の第６の態様に係る硬貨処理装置として、例えば図１を参照して示すと、上記本発明の第１の態様乃至第５の態様のいずれか１つの態様に係る硬貨処理装置において、シャッタ１５の移動及び停止並びにシャッタ１５の移動方向を制御する制御装置６０（例えば図４参照）を備え；シャッタ移動機構２０が、シャッタ１５を間接的又は直接的に動かすモータ２４を有し、制御装置６０（例えば図４参照）の指令がシャッタ１５を停止させるものであるときに、モータ２４をロックしてシャッタ１５を動かなくするように構成されていてもよい。ここで、モータをロックするとは、典型的にはモータ自体を電気的又は機械的にロックすることをいうが、モータに連結された駆動機構のいずれかの箇所をロックしてモータを間接的にロックする場合も含まれる。
【００１７】
このように構成すると、メンテナンスのために保留筒を回動させたいときにシャッタがつられて移動してしまうことを防ぐことができる。
【発明の効果】
【００１８】
本発明によれば、メンテナンスのために保留筒を回動させて引き出した際に保留筒内に残留している硬貨を確実に第１の空間に導くことができ、保留筒内に残留している硬貨が意図しない第２の空間に侵入したり装置の外に散乱することを防ぐことができる。
【図面の簡単な説明】
【００１９】
【図１】本発明の実施の形態に係る硬貨処理装置を構成する一時保留部まわりの概略構成図である。
【図２】本発明の実施の形態における一時保留部を構成するカムの正面図である。
【図３】本発明の実施の形態における一時保留部を構成する保留筒の全体を示す斜視図である。
【図４】本発明の実施の形態に係る硬貨処理装置の系統図である。
【図５】本発明の実施の形態における一時保留部の状態を示す部分側面断面図であり、（Ａ）は保留状態の図、（Ｂ）は出金状態の図、（Ｃ）は収納状態の図、（Ｄ）はメンテナンス状態の図である。
【発明を実施するための形態】
【００２０】
以下、図面を参照して本発明の実施の形態について説明する。なお、各図において互いに同一又は相当する部材には同一あるいは類似の符号を付し、重複した説明は省略する。
【００２１】
まず図１を参照して、本発明の実施の形態に係る硬貨処理装置１の主要部分である一時保留部まわりの構成を説明する。図１は、硬貨処理装置１を構成する一時保留部まわりの概略構成図である。本実施の形態における硬貨処理装置１は、典型的には駅に設置される循環式の硬貨処理装置である。図１には、利用者から投入された硬貨Ｃを一時的に保留する入金一時保留部１０と、係員によって硬貨処理装置１に補給された硬貨Ｃを一時的に保留する補給一時保留部３０とが示されているが、まず、入金一時保留部１０の構成を説明する。
【００２２】
入金一時保留部１０は、投入された硬貨Ｃを収容する保留筒１１と、保留筒１１を回動可能に支持する支持部材１３と、保留筒１１内の硬貨Ｃを支持するシャッタ１５と、シャッタ１５を移動させるシャッタ移動機構としての移動機構２０とを備えている。入金一時保留部１０は、以下に説明する構成により、保留筒１１内に収容されている硬貨Ｃを、第１の空間としての出金空間Ｓ１か、第２の空間としての収納空間Ｓ２かに、選択的に放出することができるように構成されている。出金空間Ｓ１及び収納空間Ｓ２は、入金一時保留部１０の下方に形成されており、保留筒１１から放出された硬貨Ｃは重力で出金空間Ｓ１又は収納空間Ｓ２に導かれるように構成されている。
【００２３】
保留筒１１は、基本形状が円筒状に形成された部材である。保留筒１１は、両端が開口しており、標準状態の位置（定位置）において、両端の開口が鉛直上下に位置するように配置されている。保留筒１１は、複数の硬貨Ｃを保留筒１１の軸線１１ａが延びる方向に１列に積み重ねられた状態で収容することができるように、収容する硬貨Ｃの外径よりも一回り大きい内径を有するように構成されている。ここでいう一回り大きいとは、保留筒１１に入った硬貨Ｃが、硬貨Ｃの面の垂線が軸線１１ａに対して平行な状態で落下するのを妨げることなく、かつ、保留筒１１内に収容された複数の硬貨Ｃを許容範囲で整列させることができる大きさである。保留筒１１は、硬貨Ｃの流入を円滑にするため、上部（本実施の形態では上部１／３程度）の内径が、上方に進むにつれて大きくなるように構成されている。保留筒１１は、内部の状態を視認しやすくする観点から、透明の材料で形成されていることが好ましい。保留筒１１が透明の材料で形成されていると、保留筒１１を回動させて復旧すべき硬貨Ｃの集積の不具合等が発生しているかを容易に確認することができる。保留筒１１の下部には、ガイド１２が取り付けられている。ガイド１２の詳細は後述する。
【００２４】
支持部材１３は、板状の部材で形成されている。支持部材１３は、上部が保留筒１１の側面に固定されており、下部が筐体（不図示）に支持された軸１９に枢支されている。支持部材１３が軸１９に支えられる位置は、保留筒１１よりも下方となっている。支持部材１３は、軸１９に枢支されていることにより、軸１９の芯上の点である回動中心１３ｃまわりに回動することができるように構成されている。保留筒１１は、保留筒１１から離れた適切な位置にストッパ（不図示）が設けられることにより、定位置と、出金空間Ｓ１側に概ね３０°傾いた位置との間で回動できるように構成されている。支持部材１３の、保留筒１１よりも下方で軸１９よりも上方の部分には、付勢部材としてのスプリング１４の一端が接続されている。スプリング１４の他端は、定位置における保留筒１１よりも収納空間Ｓ２側で、硬貨処理装置１の構造体（動かない部分）を構成する部分（不図示）に接続されている。スプリング１４はコイルばねが用いられている。スプリング１４が設けられることにより、保留筒１１は、手動で出金空間Ｓ１側に倒された後、倒された力が取り除かれると、スプリング１４の収縮力により定位置に戻るように構成されている。
【００２５】
シャッタ１５は、本体１５ｂと、ホルダ１５ｈとを含んで構成されている。本体１５ｂは、概ね角柱状の、別の表現をすると幅のあるコネクティングロッドのような形状をした部材であり、保留筒１１の下端から下方に延びるように配設されている。本体１５ｂの上面は、概ね平坦に形成されており、保留筒１１の硬貨Ｃが載置される硬貨載置面１５ｐ（以下、単に「載置面１５ｐ」という。）となっている。載置面１５ｐは、保留筒１１と協働して保留筒１１の底面を形成し、保留筒１１に収容されている硬貨Ｃの重量を受けるようになっている。本体１５ｂは、下部が軸１９に枢支されている。本体１５ｂは、軸１９に枢支されていることにより、軸１９の芯上の点である円弧中心１５ｃまわりに回動することができるように構成されている。載置面１５ｐの重心は、載置面１５ｐの重心と円弧中心１５ｃとを結ぶ直線１５ｒを半径とし、円弧中心１５ｃを中心とする円弧上を移動するように構成されている。保留筒１１が定位置にあるときに保留筒１１内に収容されている硬貨Ｃを載置面１５ｐが受けることができる状態に本体１５ｂがあるときのシャッタ１５の位置を、シャッタ１５の定位置（標準状態の位置）とする。
【００２６】
シャッタ１５のホルダ１５ｈは、移動機構２０と協働して本体１５ｂの回動を案内するための部材である。ホルダ１５ｈの詳細は、後述する移動機構２０と共に説明する。入金一時保留部１０は、保留筒１１が定位置にあるときに、載置面１５ｐが図１中Ｄ１の方向（収納空間Ｓ２に近づく方向）に移動すると保留筒１１内に収容されていた硬貨Ｃが出金空間Ｓ１に向けて落下し、載置面１５ｐが図１中Ｄ２の方向（出金空間Ｓ１に近づく方向）に移動すると保留筒１１内に収容されていた硬貨Ｃが収納空間Ｓ２に向けて落下するように構成されている。以下、図１中の符号Ｄ１が示す方向を「出金方向Ｄ１」といい、図１中の符号Ｄ２が示す方向を「収納方向Ｄ２」ということとする。出金方向Ｄ１は第１の方向に相当し、収納方向Ｄ２は第２の方向に相当する。
【００２７】
移動機構２０は、カム２１と、カム２１に固定されたカムギヤ２２と、カムギヤ２２と噛み合うモータギヤ２３と、モータギヤ２３を回転させるモータ２４とを含んで構成されている。モータ２４は、外部から入力された電力により軸を正逆いずれかの方向に選択的に回転させるように構成されており、入金一時保留部１０と補給一時保留部３０との間に配設されている。モータギヤ２３は、モータ２４の軸に取り付けられている。カムギヤ２２は、カム２１に固定されたうえでモータギヤ２３と噛み合う位置に配設されている。
【００２８】
ここで図２を参照して、カム２１まわりの詳細を説明する。図２は、カム２１の正面図である。図２では、カム２１とシャッタ１５との位置関係を明らかにするため、シャッタ１５のホルダ１５ｈを破線で示している。ホルダ１５ｈの上部両端に示されている左ローラ１５ｅ及び右ローラ１５ｆは、シャッタ１５の構成部材であるが、カム２１との関係の説明の都合上、実線で示している。左ローラ１５ｅ及び右ローラ１５ｆは、それぞれ、第１の嵌合部材及び第２の嵌合部材に相当し、ホルダ１５ｈの上部両端に回動可能に取り付けられている。左ローラ１５ｅ及び右ローラ１５ｆは、本実施の形態では、大きさが同じ円柱状に形成されている。
【００２９】
カム２１は、固定ピン２１ｐにより、カムギヤ２２（図１参照）の中心に固定されている。カム２１は、固定ピン２１ｐに固定されていることにより、固定ピン２１ｐの軸線上の点である回動中心２１ｃまわりに回動することができるように構成されている。カム２１は、シャッタ１５が定位置にあるときに、外縁が、軸１９側の約半分が円弧状に形成され、軸１９の反対側の約半分が円弧状の内側に輪郭が形成される概ね楕円状に形成されている。カム２１は、左右のローラ１５ｅ、１５ｆの概ね直径分、外縁から内側に入った部分に、左右のローラ１５ｅ、１５ｆの側面に接する摺動レール２１ａが全周にわたって形成されている。摺動レール２１ａは、楕円状の部分の中央で外周に到達しており、そこから外縁に沿って円弧状の部分との境界まで両側に広がっている。これにより、内側と外側とが摺動レール２１ａで挟まれた部分は、左側の左通路２１ｗｅと右側の右通路２１ｗｆとの２箇所が形成されることとなる。左通路２１ｗｅと右通路２１ｗｆとは、楕円状の部分の中央で連通していない。左通路２１ｗｅは左ローラ１５ｅが通る通路となり、右通路２１ｗｆは右ローラ１５ｆが通る通路となる。
【００３０】
シャッタ１５が定位置にあるとき、摺動レール２１ａが左ローラ１５ｅ及び右ローラ１５ｆの両方に接触するように、カム２１を含む移動機構２０が配設されている。このとき、左ローラ１５ｅ及び右ローラ１５ｆの双方の中心を結んだ仮想線である連結仮想線１５ｊは、円弧中心１５ｃと回動中心２１ｃとの間を通るようになっている。さらに、このとき、左ローラ１５ｅは、左ローラ１５ｅの中心と回動中心２１ｃとを結ぶ仮想線である第１の仮想線としての左仮想線１５ｖｅ上で摺動レール２１ａと接触し、右ローラ１５ｆは、右ローラ１５ｆの中心と回動中心２１ｃとを結ぶ仮想線である第２の仮想線としての右仮想線１５ｖｆ上で摺動レール２１ａと接触するようになっている。このとき、左ローラ１５ｅと右ローラ１５ｆとの間の摺動レール２１ａの部分に、連結仮想線１５ｊよりも円弧中心１５ｃ側に隆起した部分が存在することになる。このような態様で左右のローラ１５ｅ、１５ｆと摺動レール２１ａとが接触することにより、ホルダ１５ｈ（ひいてはシャッタ１５）を円弧中心１５ｃまわりに出金方向Ｄ１又は収納方向Ｄ２に直接動かそうとしても、左右のローラ１５ｅ、１５ｆと摺動レール２１ａとの間に作用する力の関係によりカム２１を動かすことができないので、ホルダ１５ｈ（シャッタ１５）は動かないようになっている。
【００３１】
他方、モータ２４からモータギヤ２３及びカムギヤ２２を介してカム２１を回動させると、左右のローラ１５ｅ、１５ｆと摺動レール２１ａとの接触位置に応じて、ホルダ１５ｈ（シャッタ１５）が移動することとなる。カム２１を、回動中心２１ｃまわりに、図２（Ａ）中の時計回りに回動させると、図２（Ｂ）に示すように右ローラ１５ｆが右通路２１ｗｆに入って行くことに伴ってシャッタ１５は出金方向Ｄ１に移動する。このとき、載置面１５ｐの重心位置の軌跡は、円弧中心１５ｃと結ぶ直線１５ｒを半径とする円弧１５ａとなる。他方、カム２１を、回動中心２１ｃまわりに、図２（Ａ）中の反時計回りに回動させると、図２（Ｃ）に示すように左ローラ１５ｅが左通路２１ｗｅに入って行くことに伴ってシャッタ１５は収納方向Ｄ２に移動する。このとき、載置面１５ｐの重心位置の軌跡は、円弧中心１５ｃと結ぶ直線１５ｒを半径とする円弧１５ａとなる。このように、移動機構２０は、カム２１を回動させることにより、シャッタ１５を、定位置から出金方向Ｄ１又は収納方向Ｄ２に選択的に移動させることができるように構成されている。
【００３２】
図１では、入金一時保留部１０まわりの基本的な構成を説明するために、保留筒１１やシャッタ１５等を１つずつ示している。しかし、本実施の形態において、硬貨処理装置１が取り扱う硬貨Ｃは、日本国内で流通している貨幣のうち、１０円硬貨、５０円硬貨、１００円硬貨、５００円硬貨の４種類の硬貨である。したがって、硬貨処理装置１は、金種別に硬貨Ｃを保留できるように、保留筒１１を、少なくとも４つ有している。
【００３３】
図３は、保留筒１１の全体を示す斜視図である。本実施の形態では、１０円硬貨用の保留筒１１Ａ、１００円硬貨用の保留筒１１Ｂ、５００円硬貨用の保留筒１１Ｃ、５０円硬貨用の保留筒１１Ｄを有している。このように、本実施の形態では、取り扱う硬貨Ｃの種類に応じて４つの保留筒１１を有している。以下の説明において、各保留筒１１Ａ〜１１Ｄの共通の性質について言及するときは、「保留筒１１」と総称する。また、本実施の形態では、保留筒１１Ｄの横にさらに１つのバイパス筒１６を有している。バイパス筒１６は、種類を判別できなかった硬貨Ｃであるリジェクト硬貨を通過させる筒であり、リジェクト硬貨を保留せずに通過させるものであるため、保留筒１１ではない。バイパス筒１６は、保留筒１１と同様の大きさ及び形状に構成されているが、リジェクト硬貨を保留しないため、下方にシャッタ１５（図１参照）が設けられておらず、代わりにバイパス筒１６を通過したリジェクト硬貨を出金空間Ｓ１へ導くガイド板（不図示）が設けられている。
【００３４】
各保留筒１１Ａ〜１１Ｄ及びバイパス筒１６は、軸線が平行で１列に並ぶように配列されている。配列された各保留筒１１Ａ〜１１Ｄ及びバイパス筒１６は、枠１１ｆで連結されている。枠１１ｆは、各保留筒１１Ａ〜１１Ｄ及びバイパス筒１６の上端及び下端、並びに最外端に配列された保留筒１１Ａ及びバイパス筒１６の各外側に設けられ、これらが環状に接続されて構成されている。保留筒１１Ａの外側の枠及びバイパス筒１６の外側の枠には、それぞれ支持部材１３が固定されており、各保留筒１１Ａ〜１１Ｄ及びバイパス筒１６が一体で回動中心１３ｃまわりに回動できるように構成されている。下側の枠１１ｆには、長手方向に延びる辺の一方の幅全体から斜め下外側に側面視で弧を描くように延びるガイド１２が設けられている。ガイド１２は、図１に示すように、出金空間Ｓ１側に延びている。ガイド１２は、シャッタ１５に対して干渉せずに極力近くなる程度の円弧１５ａ（図２（Ｂ）、（Ｃ）参照）の外側で、円弧１５ａに沿って斜め下方に延びている。配列された保留筒１１のうちの真ん中の保留筒１１Ｃのガイド１２側の外側には、各保留筒１１Ａ〜１１Ｄ及びバイパス筒１６を回動中心１３ｃまわりに手動で回動させる際に摘むためのレバー１１ｈが設けられている。
【００３５】
再び図１に戻って補給一時保留部３０を説明する。補給一時保留部３０は、入金一時保留部１０と同様の構成を備えている。補給一時保留部３０は、入金一時保留部１０における保留筒１１、ガイド１２、支持部材１３、スプリング１４、シャッタ１５、バイパス筒１６（図３参照）、移動機構２０に相当する構成として、追加保留筒としての補給側保留筒３１と、追加ガイドとしての補給側ガイド３２と、追加支持部材としての補給側支持部材３３と、追加付勢部材としての補給側スプリング３４と、追加シャッタとしての補給側シャッタ３５と、追加バイパス筒としての補給側バイパス筒（不図示）と、追加シャッタ移動機構としての補給側移動機構（不図示）とを備えている。補給側移動機構は、他の部材と重ねて記載することに伴う乱雑化を回避する観点から図１では示していないが、移動機構２０のカム２１、カムギヤ２２、モータギヤ２３、及びモータ２４と同様の構成の、カム、カムギヤ、モータギヤ、及びモータを収納空間Ｓ２の上方に有している。また、補給側シャッタ３５には、補給側保留筒３１に対向する面に、追加硬貨載置面としての補給側載置面３５ｐが形成されている。補給一時保留部３０は、移動機構２０を挟んで入金一時保留部１０と面対称になるように配設されている。本実施の形態では、補給一時保留部３０が、入金一時保留部１０に対し、モータ２４の軸を通り軸１９に平行な仮想平面を基準平面とする面対称に配設されている。これにより、補給一時保留部３０では、補給側保留筒３１（及び補給側シャッタ３５）の回動中心３３ｃとなる補給側軸３９が、軸１９に対して同じ高さで平行に配置されることとなる。
【００３６】
補給一時保留部３０は、補給側保留筒３１内に収容されている硬貨Ｃを、第３の空間としてのリジェクト空間Ｓ３か、収納空間Ｓ２かに、選択的に放出することができるように構成されている。補給一時保留部３０からの硬貨Ｃの放出先の一方である収納空間Ｓ２を、入金一時保留部１０と兼ねることで、硬貨処理装置１の小型化を図ることができる。補給一時保留部３０は、補給側保留筒３１が定位置にあるときに、補給側載置面３５ｐが図１中Ｄ３の方向（収納空間Ｓ２に近づく方向）に移動すると補給側保留筒３１内に収容されていた硬貨Ｃがリジェクト空間Ｓ３に向けて落下し、補給側載置面３５ｐが図１中Ｄ４の方向（リジェクト空間Ｓ３に近づく方向）に移動すると補給側保留筒３１内に収容されていた硬貨Ｃが収納空間Ｓ２に向けて落下するように構成されている。以下、図１中の符号Ｄ３が示す方向を「リジェクト方向Ｄ３」といい、図１中の符号Ｄ４が示す方向を「収納方向Ｄ４」ということとする。リジェクト方向Ｄ３は第３の方向に相当し、収納方向Ｄ４は第４の方向に相当する。
【００３７】
次に図４を参照して入金一時保留部１０及び補給一時保留部３０を含む硬貨処理装置１の全体構成を説明する。図４は、硬貨処理装置１の系統図であり、各部の接続関係を表しているが、各部の配置は実際の装置とは異なる部分がある。硬貨処理装置１は、硬貨Ｃの投入を受け付ける投入口５１と、投入口５１から投入された硬貨Ｃの種類を識別する識別部５２Ａと、硬貨Ｃを種類に応じて振り分けると共に計数する振分計数部５３Ａ、５３Ｂと、振分計数部５３Ａ、５３Ｂで振り分け及び計数が行われた硬貨Ｃを一時的に保留する上述の入金一時保留部１０及び補給一時保留部３０と、決められた枚数の硬貨Ｃを放出する放出部５４と、硬貨処理装置１から取り出される硬貨Ｃを差し出す出金口５６と、補給された硬貨Ｃ等の計数が行われる硬貨Ｃの種類を識別する識別部５３Ｂと、補給された硬貨Ｃ等を貯留する硬貨貯留部５８と、硬貨貯留部５８に収納された硬貨Ｃのうち取り扱いに適した硬貨Ｃと認識されなかった硬貨を保留する補給リジェクト庫５９と、制御装置６０とを備えている。
【００３８】
投入口５１は、複数枚の硬貨Ｃを受けることができる大きさに形成されており、複数の種類が混在した状態で複数枚の硬貨Ｃを受け付けることができるように構成されている。識別部５２Ａは、投入口５１から投入された硬貨Ｃを振分計数部５３Ａに向けて搬送する入金搬送路４１に設けられている。識別部５２Ａは、入金搬送路４１によって内部を通過する硬貨Ｃの種類を識別し、識別結果を信号として制御装置６０に送信することができるように構成されている。制御装置６０は、識別部５２Ａから受信した信号を基に、投入口５１から投入された硬貨Ｃの合計金額を算出することができるように構成されている。識別部５２Ａは、硬貨処理装置１が取り扱いを予定している種類の硬貨Ｃ（本実施の形態では、１０円、５０円、１００円、５００円の各硬貨）以外の硬貨（リジェクト硬貨）を検出した場合も異常硬貨である旨の信号を制御装置６０に送信するように構成されている。制御装置６０は、リジェクト硬貨である旨の信号を識別部５２Ａから受信したときは、リジェクト硬貨が振分計数部５３Ａを介して入金一時保留部１０のリジェクト硬貨用のバイパス筒１６（図３参照）に導かれるように、振分計数部５３Ａに設けられたフラップ（不図示）を作動させるように構成されている。
【００３９】
振分計数部５３Ａ、５３Ｂは、硬貨Ｃを種類別（本実施の形態では、１０円、５０円、１００円、５００円の別）に振り分けることができるように構成されており、投入口５１から投入されて識別部５２Ａを通過してきた硬貨Ｃを扱う入金硬貨用の振分計数部５３Ａと、係員等によって硬貨処理装置１の内部に補給された硬貨Ｃ等を扱う補給硬貨用の振分計数部５３Ｂとの２系統が、同じ構成でそれぞれ別に設けられている。入金硬貨用の振分計数部５３Ａの下方には、前述の入金一時保留部１０が配設されている。補給硬貨用の振分計数部５３Ｂの下方には、前述の補給一時保留部３０が配設されている。なお、図４では、入金一時保留部１０及び補給一時保留部３０が、長手方向に隣接して示されているが、実際は、長手方向の両端及び高さが揃うように配設されている（図１参照）。前述の、出金空間Ｓ１（図１参照）は横搬送部４６に連通しており、収納空間Ｓ２（図１参照）は放出部５４に連通しており、リジェクト空間Ｓ３（図１参照）は補給リジェクト庫５９に連通している。
【００４０】
放出部５４は、硬貨Ｃの種類に対応する数が設けられており、入金一時保留部１０から落下してきた硬貨Ｃと、補給一時保留部３０から落下してきた硬貨Ｃとを区別なく貯留するホッパ（不図示）が硬貨Ｃの種類ごとに設けられている。放出部５４は、制御装置６０からの指令に基づいて、種類別に所定の枚数の硬貨Ｃを水平搬送部４４に放出することができるように構成されている。水平搬送部４４は、放出部５４から放出された硬貨Ｃを水平方向に搬送する部材である。水平搬送部４４の下流端は、硬貨Ｃを上方に搬送する上昇搬送部４５に接続されている。上昇搬送部４５は、典型的には搬送ベルトに張力保持特性を有するものが用いられており、水平搬送部４４から複数枚重なって搬送されてきた硬貨Ｃをそのまま複数枚重ねて搬送することができるように構成されている。上昇搬送部４５の下流端は、横搬送部４６に接続されている。横搬送部４６は、一方の端部に出金口５６が接続されており、他方の端部に硬貨貯留部５８が接続されている。
【００４１】
硬貨貯留部５８は、補給搬送部４８を介して補給硬貨用の振分計数部５３Ｂに接続されており、硬貨貯留部５８内の硬貨Ｃを補給硬貨用の振分計数部５３Ｂに搬送することができるように構成されている。補給搬送部４８には、補給用の硬貨Ｃを識別する識別部５２Ｂが設けられている。識別部５２Ｂの構成及び機能は、識別部５２Ａと同様である。制御装置６０は、リジェクト硬貨である旨の信号を識別部５２Ｂから受信したときは、リジェクト硬貨が振分計数部５３Ｂを介して補給一時保留部３０のリジェクト硬貨用の補給側バイパス筒（バイパス筒１６（図３参照）に対応）に導かれるように、振分計数部５３Ｂに設けられたフラップ（不図示）を作動させるように構成されている。補給側バイパス筒を通過したリジェクト硬貨は、補給リジェクト庫５９に導かれる。制御装置６０は、硬貨処理装置１の動作を制御することができるように構成されている。
【００４２】
引き続き図１乃至図４を参照して、硬貨処理装置１の作用を説明する。図４に示す投入口５１に利用者によって一括投入された複数枚の硬貨Ｃは、入金搬送路４１によって１枚ずつ振分計数部５３Ａに向けて流れて行く。入金搬送路４１を通る硬貨Ｃは、識別部５２Ａを通過する際に金種等が識別され、リジェクト硬貨が検出された場合は制御装置６０を介してフラップ（不図示）の作動により入金一時保留部１０のバイパス筒１６（図３参照）を通過した後、横搬送部４６に導かれて、出金口５６に戻される。識別部５２Ａを通過した、硬貨処理装置１で取り扱い可能な硬貨Ｃは、振分計数部５３Ａの入金硬貨用の方に導入され、種類ごとに振り分けられた後、入金一時保留部１０の適切な場所に保留される。この状態で、利用者による入金確定操作が行われると、制御装置６０は、入金金額と取引金額との比較を行う。
【００４３】
入金金額と取引金額との比較により釣銭（出金）が不要の場合は、次の利用者による入金を待機する。また、硬貨Ｃを入金した利用者の継続操作において返却操作がなされたときは、入金一時保留部１０に保留されている硬貨Ｃが、出金空間Ｓ１（図１参照）を介して横搬送部４６に導出された後に出金口５６に返却される。他方、硬貨Ｃを入金した利用者の操作が終了して次の利用者による投入口５１への硬貨Ｃの投入が行われると、この新たに投入口５１に硬貨Ｃを投入した利用者の直前の利用者によって投入されて入金一時保留部１０に保留されていた硬貨Ｃが、収納空間Ｓ２（図１参照）を介して放出部５４に放出される。
【００４４】
ここで主に図１及び図２並びに図５を参照して入金一時保留部１０の作用を説明する。図５は、入金一時保留部１０の状態を示す部分側面断面図である。入金硬貨用の振分計数部５３Ａで振り分けられた硬貨Ｃが入金一時保留部１０に収納されるとき、保留筒１１及びシャッタ１５は、共に定位置にある（図５（Ａ）参照）。硬貨Ｃを投入口５１に投入した利用者の継続操作において返却操作がなされたとき、制御装置６０は、モータ２４を動かしてカム２１を図２（Ａ）における時計回りに回動させる。すると、右ローラ１５ｆが右通路２１ｗｆに入り、右通路２１ｗｆの概ね先端に右ローラ１５ｆが至ったところでモータ２４が停止される（図２（Ｂ）参照）。このカム２１及び右ローラ１５ｆの動きにより、シャッタ１５は出金方向Ｄ１に回動し、出金状態となる（図５（Ｂ）参照）。このとき、左ローラ１５ｅは、カム２１の外縁よりも外側に出ている。シャッタ１５が出金状態となると、保留筒１１に収納されていた硬貨Ｃは出金空間Ｓ１に落下し、横搬送部４６に至る。
【００４５】
他方、入金一時保留部１０に硬貨Ｃが保留されている状態で、新たな利用者により投入口５１に硬貨Ｃが投入されると、制御装置６０は、モータ２４を動かしてカム２１を図２（Ａ）における反時計回りに回動させる。すると、左ローラ１５ｅが左通路２１ｗｅに入り、左通路２１ｗｅの概ね先端に左ローラ１５ｅが至ったところでモータ２４が停止される（図２（Ｃ）参照）。この、カム２１及び左ローラ１５ｅの動きにより、シャッタ１５は収納方向Ｄ２に回動し、収納状態となる（図５（Ｃ）参照）。このとき、右ローラ１５ｆは、カム２１の外縁よりも外側に出ている。また、保留筒１１を支持する支持部材１３が、スプリング１４によって定位置側に付勢されているので、保留筒１１がシャッタ１５の動きにつられて移動することが回避される。シャッタ１５が収納状態となると、保留筒１１に収納されていた硬貨Ｃは収納空間Ｓ２に落下し、収納部５４に至る。
【００４６】
ところで、保留筒１１に硬貨Ｃが収納される際、硬貨Ｃの面が上下方向に向かない立ち状態になったり、噛み込み状態になったりして、硬貨Ｃが保留筒１１に詰まってしまうような異常が発生する場合がある。異常が発生すると、硬貨処理装置１が停止し、硬貨Ｃの詰まりを取り除く等のメンテナンスを行うこととなる。あるいは、保留筒１１まわりは、定期的な清掃等のメンテナンスが行われる場合もある。入金一時保留部１０まわりのメンテナンスを行う際は、係員等がレバー１１ｈ（図３参照）を手動で出金空間Ｓ１側に倒す。すると、保留筒１１が枠１１ｆごと回動中心１３ｃまわりに出金空間Ｓ１側に回動し、メンテナンス状態となる（図５（Ｄ）参照）。保留筒１１が出金空間Ｓ１側に回動すると、保留筒１１内の硬貨Ｃは、載置面１５ｐから外れて出金空間Ｓ１に落下する。このように、メンテナンスの際に保留筒１１に残留していた硬貨Ｃを出金空間Ｓ１に導くので、硬貨処理装置１に侵入してしまって硬貨処理装置１内に保留している硬貨Ｃの総額が分からなくなってしまうことを防ぐことができると共に、硬貨処理装置１の外に落下してしまって紛失してしまうことを防ぐことができる。
【００４７】
また、入金一時保留部１０はガイド１２を備えているので、保留筒１１が出金空間Ｓ１側に回動したときに、保留筒１１から落下する硬貨Ｃをより確実に出金空間Ｓ１に導くことができ、硬貨Ｃの散乱を防ぐことができる。なお、メンテナンスが行われるとき、制御装置６０の指令により、シャッタ１５は、定位置になるようにカム２１の位置が制御される。シャッタ１５が定位置のとき、左ローラ１５ｅが左仮想線１５ｖｅ状で、及び右ローラ１５ｆが右仮想線１５ｖｆ上で、それぞれ摺動レール２１ａと接しているため、保留筒１１を出金空間Ｓ１側に回動させても、シャッタ１５がつられて回動してしまうことを抑制される。したがって、メンテナンスの際に保留筒１１から落下する硬貨Ｃを確実に出金空間Ｓ１に導くことができる。なお、制御装置６０によりモータ２４をソレノイド等で電気的にロックしてシャッタ１５を移動させないようにする構成を、カム２１の機構に重畳して、あるいはカム２１の機構に代えて、適用してもよい。
【００４８】
再び主に図４を参照し、適宜図１乃至図３を参照して、硬貨処理装置１の全体の作用の説明を続ける。利用者による入金確定操作が行われ、入金金額と取引金額との比較を行った制御装置６０は、入金金額と取引金額との比較により釣銭（出金）が必要な場合、出金に関する信号を放出部５４に送信する。出金信号を受信した放出部５４は、制御装置６０が指定した合計金額の硬貨Ｃを水平搬送部４４に放出する。水平搬送部４４で搬送されてきた硬貨Ｃは、上昇搬送部４５から横搬送部４６を経由して、出金口５６に出金される。他方、硬貨Ｃを入金した利用者の操作が終了して次の利用者による投入口５１への硬貨Ｃの投入が行われると、この新たに投入口５１に硬貨Ｃを投入した利用者の直前の利用者によって投入されて入金一時保留部１０に保留されていた硬貨Ｃが、放出部５４のホッパー（不図示）に収納される。
【００４９】
硬貨処理装置１では、上述した入出金動作以外に、補給動作として、係員等によって硬貨貯留部５８に補給された硬貨Ｃを、硬貨Ｃの容量が所定以下となった放出部５４へ適宜補給する動作（以下「通常補給動作」という）や、硬貨処理装置１内に存在する硬貨Ｃを回収する際に、硬貨処理装置１内に存在する硬貨Ｃを精査する装置内計数動作が行われる。通常補給動作は、典型的には硬貨処理装置１の利用者等に対する稼働時間中であっても、放出部５４内の硬貨Ｃが不足しないように適宜行われる。他方、装置内計数動作は、典型的には硬貨処理装置１の利用者に対する稼働時間外に行われる。まず、通常補給動作を説明する。前述した入出金動作において出金動作が連続して行われることで、放出部５４内の硬貨Ｃの容量が所定以下となる場合がある。このような場合に、制御装置６０は、硬貨貯留部５８に硬貨放出信号を送信して硬貨貯留部５８の硬貨Ｃを放出させる。硬貨貯留部５８から放出された硬貨Ｃは、補給搬送部４８によって補給硬貨用の振分計数部５３Ｂに向けて搬送され、途中の識別部５２Ｂで硬貨Ｃの可否が識別される。識別部５２Ｂは、制御装置６０に金種情報を出力すると共に、リジェクト硬貨を振分計数部５３Ｂを介して補給一時保留部３０のリジェクト硬貨用の補給側バイパス筒（バイパス筒１６（図３参照）に対応）に導く。識別部５２Ｂを通過した硬貨Ｃは、振分計数部５３Ｂで硬貨Ｃの種類ごとに計数されると共に振り分けられた後、補給一時保留部３０に導入されて所定の補給側保留筒３１に収容される。補給一時保留部３０では、金種ごとの最大保留枚数があらかじめ決められており、いずれかの金種が最大保留枚数に達する度に補給側シャッタ３５が収納方向Ｄ４に移動することにより収納空間Ｓ２を経由して放出部５４へ移送され、放出部５４に収納される。この動作は、硬貨Ｃの容量が所定以下となった放出部５４があらかじめ決められた容量となったところで停止する。なお、補給一時保留部３０に硬貨Ｃが収容されているときに通常補給動作にエラーが生じた場合、制御装置６０は、補給側シャッタ３５をリジェクト方向Ｄ３へ移動させて補給一時保留部３０内の硬貨Ｃを補給リジェクト庫５９に落下させる。
【００５０】
次に、硬貨処理装置１内に存在する硬貨Ｃを回収する場合の装置内計数動作を説明する。硬貨Ｃの回収時に装置内計数動作が行われる旨の指令が与えられると、制御装置６０は、まず、上述した通常補給動作と同様の処理を行うように、硬貨処理装置１を制御する。ただし、ここでの処理は、放出部５４内の硬貨Ｃの容量があらかじめ決められた容量になっても停止されず、硬貨貯留部５８内に硬貨Ｃが存在しなくなるまで行われる。次に、制御装置６０は、放出部５４に硬貨放出信号を送信して放出部５４の硬貨Ｃを放出させる。ここでは、硬貨処理装置１の運用に必要な枚数（あらかじめ決められている）に、余裕分（例えばリジェクト硬貨とされる可能性を見越した分）を加えた枚数の硬貨Ｃを、金種ごとに放出させる。放出部５４から放出された硬貨Ｃは、水平搬送部４４及び上昇搬送部４５を介して硬貨貯留部５８に導かれる。他方、放出部５４から所定枚数（必要枚数＋余裕分）の硬貨Ｃが放出された後に放出部５４に残った硬貨Ｃは、放出部５４に設けられた振り分け手段（不図示）により、別途設けられた回収庫（不図示）に導かれる。これにより、放出部５４は空になる。硬貨貯留部５８に収容された所定枚数の硬貨Ｃは、上述の通常補給動作の要領で、識別部５２Ｂ、振分計数部５３Ｂを介して補給一時保留部３０に一旦収容された後、放出部５４に収容される。上述の、各補給動作においては、補給一時保留部３０における処理動作が連続的に行われるため、メンテナンスが必要となる場合が増えることも考えられるが、入金一時保留部１０と同様に構成された補給一時保留部３０においても、メンテナンスの際は補給側保留筒３１を回動中心３３ｃまわりにリジェクト空間Ｓ３側に回動させることで、補給側保留筒３１に残留していた硬貨Ｃを確実に補給リジェクト庫５９に導くことができ、意図しない場所に落下したり散乱することを回避することができる。
【００５１】
以上の説明では、保留筒１１（補給側保留筒３１）が円筒状に形成されているとしたが、軸直角断面における形状が多角形の筒状に形成されていてもよい。しかしながら、保留筒１１（補給側保留筒３１）が円筒状に形成されていると、硬貨Ｃを１列で整列させやすく、保留筒１１（補給側保留筒３１）内での硬貨Ｃの立ちや噛み込み等を抑制することができるため、好ましい。
【００５２】
以上の説明では、第１の空間が出金空間Ｓ１であり、第２の空間が収納空間Ｓ２であるとしたが、相互に入れ替えて、第１の空間が収納空間Ｓ２であり、第２の空間が出金空間Ｓ１であることとしてもよい。つまり、メンテナンスの際に保留筒１１内の硬貨Ｃを導く先は、硬貨処理装置１の事情を考慮して適宜決定することとしてもよい。
【００５３】
以上の説明では、回動中心１３ｃと円弧中心１５ｃとが一致しているとした。このように構成すると、保留筒１１の回動軸線とシャッタ１５の回動軸線とを共通にすることができ、構造をシンプルにすることができる。しかしながら、回動中心１３ｃと円弧中心１５ｃとは一致していなくてもよい。特に、回動中心１３ｃを、円弧中心１５ｃよりも直線１５ｒの延長線上で保留筒１１とは反対側（図１において円弧中心１５ｃよりも下方）に置けば、保留筒１１を回動させたときのシャッタ１５との干渉を回避しやすくなる。また、回動中心１３ｃ及び／又は円弧中心１５ｃは、保留筒１１の真下から偏芯した位置（左右にずれた位置）に置かれることとしてもよい。このようにすると、シャッタ１５が回動して保留筒１１から硬貨Ｃが落下する際に、硬貨Ｃとシャッタ１５との干渉を避けやすくなり、また、構成部材の配置の自由度を高めることができる。
【符号の説明】
【００５４】
１    硬貨処理装置
１１  保留筒
１２  ガイド
１３  支持部材
１３ｃ  回動中心
１４  スプリング
１５  シャッタ
１５ａ  円弧
１５ｃ  円弧中心
１５ｅ  左ローラ
１５ｆ  右ローラ
１５ｊ  連結仮想線
１５ｐ  硬貨載置面
１５ｒ  半径
１５ｖｅ  左仮想線
１５ｖｆ  右仮想線
２０  シャッタ移動機構
２１  カム
２１ａ  摺動レール
２１ｃ  回動中心
２４  モータ
３１  追加保留筒
３３ｃ  回動中心
３５  追加シャッタ
３５ｐ  追加硬貨載置面
６０  制御装置
Ｃ    硬貨
Ｄ１  出金方向
Ｄ２  収納方向
Ｄ３  リジェクト方向
Ｄ４  収納方向
Ｓ１  出金空間
Ｓ２  収納空間
Ｓ３  リジェクト空間
【図１】
0005816070.tif 000002
【図２】
0005816070.tif 000003
【図３】
0005816070.tif 000004
【図４】
0005816070.tif 000005
【図５】
0005816070.tif 000006